(57)【特許請求の範囲】
【請求項１】
端末装置の意向に従って、放送受信装置を遠隔制御する遠隔
制御システムにおいて、
前記端末装置に対して、前記放送受信装置で録画予約する番組を前記端末装置で選択予約できるようにした番組表を送信するデータ管理局を有し、
前記端末装置が前記データ管理局に録画予約を希望する番組のチャンネルと放送時刻とを送信したとき、
前記データ管理局が前記チャンネル付近の複数のチャンネルで、且つ、前記放送時刻付近の時間帯に放送される番組の番組表を編集して、この編集された番組表を前記端末装置に送信することを特徴とする遠隔制御システム。
【請求項２】
端末装置の意向に従って、放送受信装置を遠隔制御する遠隔制
御システムにおいて、
前記端末装置に対して、前記放送受信装置で録画予約する番組を前記端末装置で選択予約できるようにした番組表を送信するデータ管理局を有し、
前記端末装置が前記データ管理局に録画予約を希望する番組のチャンネルと放送時刻とを送信したとき、
前記データ管理局が前記チャンネル付近の複数のチャンネルで、且つ、前記放送時刻付近の時間帯に放送される番組の番組表を編集して、この編集された番組表を前記端末装置に送信し、
前記端末装置が、受信したこの編集された番組表に基づいて前記端末装置で選択された番組を、録画予約するための制御信号を前記放送受信装置に送信することによって、前記放送受信装置を遠隔制御することを特徴とする遠隔制御システム。
【請求項３】
端末装置の意向に従って、放送受信装置を遠隔制御する遠隔制
御システムにおいて、
前記端末装置に対して、前記放送受信装置で録画予約する番組を前記端末装置で選択予約できるようにした番組表を送信するデータ管理局と、
前記データ管理局と前記放送受信装置間を接続するネットワークと、を有し、
前記端末装置が前記データ管理局に録画予約を希望する番組のチャンネルと放送時刻とを送信したとき、
前記データ管理局が前記チャンネル付近の複数のチャンネルで、且つ、前記放送時刻付近の時間帯に放送される番組の番組表を編集して、この編集された番組表を前記端末装置に送信し、
前記端末装置が、受信したこの編集された番組表に基づいて前記端末装置で選択された番組の番組情報を、前記データ管理局に送信し、
前記データ管理局が前記端末装置から送信された番組情報に基づいて、選択された番組の録画予約を行うための制御信号を、前記ネットワークを介して前記放送受信装置に送信することによって、前記放送受信装置を遠隔制御することを特徴とする遠隔制御システム。
【請求項４】
端末装置の意向に従って、放送局から送信される放送を受信する放送受信装置を遠隔制御する遠隔制御システムにおいて、
前記端末装置に対して、前記放送受信装置で録画予約する番組を前記端末装置で選択予約できるようにした番組表を送信するデータ管理局を有し、
前記端末装置が前記データ管理局に録画予約を希望する番組のチャンネルと放送時刻とを送信したとき、
前記データ管理局が前記チャンネル付近の複数のチャンネルで、且つ、前記放送時刻付近の時間帯に放送される番組の番組表を編集して、この編集された番組表を前記端末装置に送信し、
前記端末装置が、受信したこの編集された番組表に基づいて前記端末装置で選択された番組の番組情報を、前記放送局に送信し、
前記放送局が前記端末装置から送信された番組情報に基づいて、選択された番組の録画予約を行うための制御信号を、前記放送受信装置に送信することによって、前記放送受信装置を遠隔制御することを特徴とする遠隔制御システム。
【請求項５】
端末装置の意向に従って、放送局から送信される放送を受信する放送受信装置を遠隔制御する遠隔制御システムにおいて、
前記端末装置に対して、前記放送受信装置で録画予約する番組を前記端末装置で選択予約できるようにした番組表を送信するデータ管理局を有し、
前記端末装置が前記データ管理局に録画予約を希望する番組のチャンネルと放送時刻とを送信したとき、
前記データ管理局が前記チャンネル付近の複数のチャンネルで、且つ、前記放送時刻付近の時間帯に放送される番組の番組表を編集して、この編集された番組表を前記端末装置に送信し、
前記端末装置が、受信したこの編集された番組表に基づいて前記端末装置で選択された番組の番組情報を、前記データ管理局を介して、前記放送局に送信し、
前記放送局が前記端末装置から送信された番組情報に基づいて、選択された番組の録画予約を行うための制御信号を、前記放送受信装置に送信することによって、前記放送受信装置を遠隔制御することを特徴とする遠隔制御システム。
【請求項６】
前記放送局から送信される制御信号に、該制御信号が前記端末
装置から送信されたものであることを前記放送受信装置に認識させるためのＩＤ信号が含まれることを特徴とする請求項４又は請求項５に記載の遠隔制御システム。
【請求項７】
前記制御信号が、前記放送局から送信される放送用の信号とともに送信されることを特徴とする請求項４〜請求項６のいずれかに記載の遠隔制御システム。
【請求項８】
前記端末装置が、携帯型端末装置であることを特徴とする請求項１〜請求項７のいずれかに記載の遠隔制御システム。
【請求項９】
前記携帯型端末装置が、携帯型電話機であることを特徴とする請求項８に記載の遠隔制御システム。
【請求項１０】
前記端末装置は、受信した前記編集された番組表から、録画予約を希望する番組を選択するための番組選択手段と、
該番組選択手段で選択された番組を録画予約するために前記放送受信装置を制御するための制御信号を生成する制御信号生成手段と、
を有することを特徴とする請求項１又は請求項２に記載の遠隔制御システム。
【請求項１１】
前記端末装置は、受信した前記編集された番組表から、録画予約を希望する番組を選択するための番組選択手段と、を有し、
該番組選択手段で選択された番組の番組情報を送信することを特徴とする請求項３〜請求項７のいずれかに記載の遠隔制御システム。
【請求項１２】
前記番組選択手段が、受信した前記編集された番組表を、時間軸方向又はチャンネル軸方向に、スクロールさせるスクロール手段と、
前記スクロール手段によってスクロールさせることによって所望の番組が表示されたとき、その番組を選択するための選択手段と、
からなることを特徴とする請求項１０又は請求項１１に記載の遠隔制御システム。
【請求項１３】
前記端末装置が、携帯型端末装置であることを特徴とする請求項１０〜請求項１２のいずれかに記載の遠隔制御システム。
【請求項１４】
前記端末装置が、携帯型電話機であることを特徴とする請求項１０〜請求項１２のいずれかに記載の遠隔制御システム。
【発明の詳細な説明】
【０００１】
【発明の属する技術分野】
本発明は、放送受信装置を遠隔制御するための遠隔制御方式及びこの遠隔制御方式における端末装置に関するものであり、特に、デジタル放送を受信するとともに記録再生のできるホームサーバなど放送受信装置などを携帯型電話機などの端末装置を用いて遠隔制御する遠隔制御方式及びこの遠隔制御方式における端末装置に関する。
【０００２】
【従来の技術】
近年、通信技術の発展に伴い、放送受信装置を電話回線などのネットワークを用いて、端末装置から遠隔制御を行う遠隔制御方式が実現されている。このような遠隔制御方式を用いることによって、ユーザーが外出先から端末装置を用いて放送受信装置を操作することができる。又、このネットワークを用いた遠隔制御方式を利用して、ＶＴＲ（Video Tape Recorder）を外出先から遠隔制御する遠隔制御装置が、特開平９−１０２８２７号公報で提供されている。
【０００３】
特開平９−１０２８２７号公報では、ＶＴＲが受信する放送番組の番組表となるデータベースがセンタ局より携帯型端末装置に与えられ、ユーザーがこのデータベースより録画予約したい番組を選択する。そして、携帯型端末装置で選択された番組がセンタ局に送信され、センタ局でユーザーが録画予約を希望する番組を検知し、センタ局よりこの番組を録画予約するようにＶＴＲに制御信号が与えられる。このように、ユーザーが携帯型端末装置によって番組表から録画予約したい番組のチャンネル及び放送時刻が確認できるため、ユーザーがその番組のチャンネルや放送時刻がわからないときにも、確実に録画予約をすることができる。
【０００４】
【発明が解決しようとする課題】
【０００５】
しかしながら、デジタル放送を受信し、そのコンテンツを記録、再生するようなホームサーバーにこのような遠隔制御方式を利用したとき、現行のデジタル放送においても、そのチャンネル数が１００チャンネル以上あるため、デジタル放送の全チャンネルの番組表を携帯型電話機のような表示画面の小さい携帯型端末装置に表示するのは困難である。
【０００６】
又、その番組表のデータが膨大となるため、携帯型電話機のようなそのメモリに限りのある携帯型端末装置にこのようなデータを記憶させておくのは、携帯型端末装置の動作に影響を与えるため、あまり芳しくない。更に、携帯型電話機のようにキーやスイッチの操作手段に限りのある携帯型端末装置において、上記のような多チャンネルの番組表から希望の番組を選択するには、ユーザーが行うキー操作の操作数が多くなるため、その選択操作が煩雑なものとなる。
【０００７】
上記のような問題を鑑みて、本発明は、端末装置に送信する多チャンネルの番組表を編集してそのデータ量を縮小し、その番組表を利用して放送受信装置の遠隔制御を行うことができる遠隔制御方式及びこの遠隔制御方式における端末装置を提供することを目的とする。
【０００８】
【課題を解決するための手段】
上記の目的を達成するために、請求項１に記載の遠隔制御システムは、端末装置の意向に従って、放送受信装置を遠隔制御する遠隔制御システムにおいて、前記端末装置に対して、前記放送受信装置で録画予約する番組を前記端末装置で選択予約できるようにした番組表を送信するデータ管理局を有し、前記端末装置が前記データ管理局に録画予約を希望する番組のチャンネルと放送時刻とを送信したとき、前記データ管理局が前記チャンネル付近の複数のチャンネルで、且つ、前記放送時刻付近の時間帯に放送される番組の番組表を編集して、この編集された番組表を前記端末装置に送信することを特徴とする。
【０００９】
このような遠隔制御システムによると、多チャンネルの放送を受信することができる放送受信装置に録画予約するように携帯型電話機のような小型の端末装置を利用して遠隔制御する場合、まず、ユーザーが端末装置を用いて、データ管理局に、番組のチャンネルや放送時刻を送信する。データ管理局では、このチャンネルや放送時刻を受信すると、そのチャンネル付近の複数のチャンネルで、且つ、その放送時刻付近の時間帯に放送される番組の番組表を編集して、端末装置に送信する。そして、ユーザーがこの番組表を端末装置で認知し、この番組表より録画予約を希望する番組を選択することにより、直接的に、又は、データ管理局を介して、放送受信装置を遠隔制御してその番組の録画予約をすることができる。
【００１０】
又、請求項２に記載の遠隔制御システムは、端末装置の意向に従って、放送受信装置を遠隔制御する遠隔制御システムにおいて、前記端末装置に対して、前記放送受信装置で録画予約する番組を前記端末装置で選択予約できるようにした番組表を送信するデータ管理局を有し、前記端末装置が前記データ管理局に録画予約を希望する番組のチャンネルと放送時刻とを送信したとき、前記データ管理局が前記チャンネル付近の複数のチャンネルで、且つ、前記放送時刻付近の時間帯に放送される番組の番組表を編集して、この編集された番組表を前記端末装置に送信し、前記端末装置が、受信したこの編集された番組表に基づいて前記端末装置で選択された番組を、録画予約するための制御信号を前記放送受信装置に送信することによって、前記放送受信装置を遠隔制御することを特徴とする。
【００１１】
このような遠隔制御システムによると、多チャンネルの放送を受信することができる放送受信装置に録画予約するように携帯型電話機のような小型の端末装置を利用して遠隔制御する場合、まず、ユーザーが端末装置を用いて、データ管理局に、番組のチャンネルや放送時刻を送信する。データ管理局では、このチャンネルや放送時刻を受信すると、そのチャンネル付近の複数のチャンネルで、且つ、その放送時刻付近の時間帯に放送される番組の番組表を編集して、端末装置に送信する。そして、ユーザーがこの番組表を端末装置で認知し、この番組表より録画予約を希望する番組を選択する。このように番組が選択されると、この選択された番組を録画予約するための制御信号を端末装置で生成し、直接、放送受信装置に送信することによって、放送受信装置を遠隔制御して録画予約する。
【００１２】
又、請求項３に記載の遠隔制御システムは、端末装置の意向に従って、放送受信装置を遠隔制御する遠隔制御システムにおいて、前記端末装置に対して、前記放送受信装置で録画予約する番組を前記端末装置で選択予約できるようにした番組表を送信するデータ管理局と、前記データ管理局と前記放送受信装置間を接続するネットワークと、を有し、前記端末装置が前記データ管理局に録画予約を希望する番組のチャンネルと放送時刻とを送信したとき、前記データ管理局が前記チャンネル付近の複数のチャンネルで、且つ、前記放送時刻付近の時間帯に放送される番組の番組表を編集して、この編集された番組表を前記端末装置に送信し、
前記端末装置が、受信したこの編集された番組表に基づいて前記端末装置で選択された番組の番組情報を、前記データ管理局に送信し、前記データ管理局が前記端末装置から送信された番組情報に基づいて、選択された番組の録画予約を行うための制御信号を、前記ネットワークを介して前記放送受信装置に送信することによって、前記放送受信装置を遠隔制御することを特徴とする。
【００１３】
このような遠隔制御システムによると、多チャンネルの放送を受信することができる放送受信装置に録画予約するように携帯型電話機のような小型の端末装置を利用して遠隔制御する場合、まず、ユーザーが端末装置を用いて、データ管理局に、番組のチャンネルや放送時刻を送信する。データ管理局では、このチャンネルや放送時刻を受信すると、そのチャンネル付近の複数のチャンネルで、且つ、その放送時刻付近の時間帯に放送される番組の番組表を編集して、端末装置に送信する。そして、ユーザーがこの番組表を端末装置で認知し、この番組表より録画予約を希望する番組を選択する。このように番組が選択されると、この選択された番組の番組情報をデータ管理局に送信する。次に、データ管理局では、番組情報を受信すると、この番組情報に基づいて、選択された番組の録画予約を行うための制御信号を生成する。そして、この制御信号をネットワークを介して放送受信装置に送信することによって、放送受信装置を遠隔制御して録画予約する。
【００１４】
又、請求項４に記載の遠隔制御システムは、端末装置の意向に従って、放送局から送信される放送を受信する放送受信装置を遠隔制御する遠隔制御システムにおいて、前記端末装置に対して、前記放送受信装置で録画予約する番組を前記端末装置で選択予約できるようにした番組表を送信するデータ管理局を有し、前記端末装置が前記データ管理局に録画予約を希望する番組のチャンネルと放送時刻とを送信したとき、前記データ管理局が前記チャンネル付近の複数のチャンネルで、且つ、前記放送時刻付近の時間帯に放送される番組の番組表を編集して、この編集された番組表を前記端末装置に送信し、前記端末装置が、受信したこの編集された番組表に基づいて前記端末装置で選択された番組の番組情報を、前記放送局に送信し、前記放送局が前記端末装置から送信された番組情報に基づいて、選択された番組の録画予約を行うための制御信号を、前記放送受信装置に送信することによって、前記放送受信装置を遠隔制御することを特徴とする。
【００１５】
このような遠隔制御システムによると、多チャンネルの放送を受信することができる放送受信装置に録画予約するように携帯型電話機のような小型の端末装置を利用して遠隔制御する場合、まず、ユーザーが端末装置を用いて、データ管理局に、番組のチャンネルや放送時刻を送信する。データ管理局では、このチャンネルや放送時刻を受信すると、そのチャンネル付近の複数のチャンネルで、且つ、その放送時刻付近の時間帯に放送される番組の番組表を編集して、端末装置に送信する。そして、ユーザーがこの番組表を端末装置で認知し、この番組表より録画予約を希望する番組を選択する。このように番組が選択されると、この選択された番組の番組情報を放送局に送信する。次に、放送局では、番組情報を受信すると、この番組情報に基づいて、選択された番組の録画予約を行うための制御信号を生成する。そして、この制御信号を放送受信装置に送信することによって、放送受信装置を遠隔制御して録画予約する。
【００１６】
又、請求項５に記載の遠隔制御システムは、端末装置の意向に従って、放送局から送信される放送を受信する放送受信装置を遠隔制御する遠隔制御システムにおいて、前記端末装置に対して、前記放送受信装置で録画予約する番組を前記端末装置で選択予約できるようにした番組表を送信するデータ管理局を有し、前記端末装置が前記データ管理局に録画予約を希望する番組のチャンネルと放送時刻とを送信したとき、前記データ管理局が前記チャンネル付近の複数のチャンネルで、且つ、前記放送時刻付近の時間帯に放送される番組の番組表を編集して、この編集された番組表を前記端末装置に送信し、前記端末装置が、受信したこの編集された番組表に基づいて前記端末装置で選択された番組の番組情報を、前記データ管理局を介して、前記放送局に送信し、前記放送局が前記端末装置から送信された番組情報に基づいて、選択された番組の録画予約を行うための制御信号を、前記放送受信装置に送信することによって、前記放送受信装置を遠隔制御することを特徴とする。
【００１７】
このような遠隔制御システムによると、多チャンネルの放送を受信することができる放送受信装置に録画予約するように携帯型電話機のような小型の端末装置を利用して遠隔制御する場合、まず、ユーザーが端末装置を用いて、データ管理局に、番組のチャンネルや放送時刻を送信する。データ管理局では、このチャンネルや放送時刻を受信すると、そのチャンネル付近の複数のチャンネルで、且つ、その放送時刻付近の時間帯に放送される番組の番組表を編集して、端末装置に送信する。そして、ユーザーがこの番組表を端末装置で認知し、この番組表より録画予約を希望する番組を選択する。このように番組が選択されると、この選択された番組の番組情報をデータ管理局に送信する。そして、この番組情報がデータ管理局を介して放送局に送信される。次に、放送局では、番組情報を受信すると、この番組情報に基づいて、選択された番組の録画予約を行うための制御信号を生成する。そして、この制御信号を放送受信装置に送信することによって、放送受信装置を遠隔制御して録画予約する。
【００１８】
又、請求項４又は請求項５に記載の遠隔制御システムにおいて、請求項６に記載するように、前記放送局から送信される制御信号に、該制御信号が前記端末装置から送信されたものであることを前記放送受信装置に認識させるためのＩＤ信号を含めることによって、個々の放送受信装置を遠隔制御することができる。又、請求項７に記載するように、前記制御信号が、前記放送局から送信される放送用の信号とともに送信されるようにしても構わない。
【００１９】
又、請求項１０に記載の端末装置は、請求項１又は請求項２に記載の遠隔制御システムにおいて使用される端末装置で、信号の送受信を行うための通信手段と、番組のチャンネルを入力するためのチャンネル入力手段と、番組の放送時刻を入力するための放送時刻入力手段と、受信した前記編集された番組表から、録画予約を希望する番組を選択するための番組選択手段と、番組選択手段で選択された番組を録画予約するために前記放送受信装置を制御するための制御信号を生成する制御信号生成手段と、を有することを特徴とする。
【００２０】
このような端末装置によると、まず、チャンネル入力手段で入力されたチャンネルと、放送時刻入力手段で入力された放送時刻が、通信手段によって、前記データ管理局に送信される。そして、データ管理局でこのチャンネル及び放送時刻に基づいて編集された番組表が、通信手段によって、受信される。このように受信した番組表より、ユーザーが番組選択手段を用いて選択すると、制御信号生成手段によって選択された番組を録画予約するために前記放送受信装置を制御するための制御信号が生成される。そして、この制御信号が、通信手段によって、前記放送受信装置に送信され、前記放送受信装置が録画予約を行うように制御される。
【００２１】
又、請求項１１に記載の端末装置は、請求項３〜請求項７のいずれかに記載の遠隔制御システムにおいて使用される端末装置で、信号の送受信を行うための通信手段と、番組のチャンネルを入力するためのチャンネル入力手段と、番組の放送時刻を入力するための放送時刻入力手段と、受信した前記編集された番組表から、録画予約を希望する番組を選択するための番組選択手段と、を有し、前記番組選択手段で選択された番組の番組情報を送信することを特徴とする。
【００２２】
このような端末装置によると、まず、チャンネル入力手段で入力されたチャンネルと、放送時刻入力手段で入力された放送時刻が、通信手段によって、前記データ管理局に送信される。そして、データ管理局でこのチャンネル及び放送時刻に基づいて編集された番組表が、通信手段によって、受信される。このように受信した番組表より、ユーザーが番組選択手段を用いて選択すると、選択された番組の番組情報が、通信手段によって、前記データ管理局又は前記放送局に送信される。次に、前記データ管理局又は前記放送局において、受信した番組情報に基づいて、前記放送受信装置を制御するための制御信号が生成される。そして、この制御信号が前記放送受信装置に送信され、前記放送受信装置が録画予約を行うように制御される。
【００２３】
請求項１２に記載する端末装置は、請求項１０又は請求項１１に記載の端末装置において、ように、前記番組選択手段が、受信した前記番組表を、時間軸方法又はチャンネル軸方向に、スクロールさせるスクロール手段と、前記スクロール手段によってスクロールさせることによって所望の番組が表示されたとき、その番組を選択するための選択手段と、からなることを特徴とする。
【００２４】
又、請求項１０〜請求項１２に記載の端末装置が、請求項１３に記載するように、携帯型端末装置であっても構わない。更に、請求項１４に記載するように、携帯型電話機であっても構わない。
【００２５】
【発明の実施の形態】
＜本発明の遠隔制御方式で使用する端末装置の１例＞
本発明の遠隔制御方式で使用する端末装置について、携帯型電話機を例にして説明する。図１に示す携帯型電話機１は、表示部１１と、操作キー１２と、アンテナ１３と、マイク１６と、スピーカ１７を有する。又、更に、図２のブロック図のように、この携帯型電話機１の内部には、メモリ部１０と、通信部１４と、制御部１５とが設けられる。尚、操作キー１２には、０〜９の数字を表す数字キー、＊や＃の文字キー、そして、予約録画を行うときに使用する録画キー１８、指定した数字や文字を確定するためのＳＥＴキー１９が、図３のように配されている。
【００２６】
このような携帯型電話機１において、表示部１１の画面をスクロールさせるとき、図３のように、‘２’を表す数字キーが上方向の矢印キーに、‘４’を表す数字キーが左方向の矢印キーに、‘６’を表す数字キーが右方向の矢印キーに、‘８’を表す数字キーが下方向の矢印キーに設定され、これらの４つのキーを用いることによって画面をスクロールすることができる。又、制御部１５は、携帯型電話機１全体の制御を行い、メモリ部１０には、電話番号などのデータが記憶されるとともに、受信したＥＰＧ（Electronic Program Guide）を記憶させることができる。
【００２７】
又、アンテナ１３で受信した信号を通信部１４で復調し、音声をスピーカ１７より出力し、また、文字データなどを表示部１１に出力する。更に、通信部１４で復調された音声や文字データ及びマイク１６より入力された音声が、メモリ部１０で記憶することができる。又、マイク１６より入力された音声を通信部１４で変調して、アンテナ１３より送信する。
【００２８】
制御部１５は、操作キー１２からの信号によって装置全体を制御するとともに、操作キー１２からの文字データなどのデータ信号を通信部１４や表示部１１に送出する。この制御部１５から送出されたデータ信号は、通信部１４で変調された後、アンテナ１３より送信されるか、又は、表示部１１上に表示される。又、制御部１５は、メモリ部１０へのデータの読み出し及び書き込みを行う。
【００２９】
尚、上記のような構成の携帯型電話機１は、本発明を説明するための１例であり、その構成が上記のような構成と限定するものではない。
【００３０】
＜第１の実施形態＞
本発明の第１の実施形態について、図面を参照して説明する。図４は、本実施形態の遠隔制御方式の構成を示すブロック図である。図４に示す遠隔制御方式は、通信型端末装置である携帯型電話機１と、デジタル放送を放送する放送局２と、放送局２の放送番組の番組表であるＥＰＧを作成し供給するＥＰＧプロバイダ３と、デジタル放送を受信するとともにその放送番組の記録再生を行うことができるホームサーバ４とから形成される。
【００３１】
図４の遠隔制御方式を用いて、ホームサーバ４にユーザーの希望する番組の録画予約を行う方式について、図面を参照して説明する。まず、録画キー１８（図３）を操作すると、今、ホームサーバ４に接続される電話回線の電話番号がメモリ部１０（図２）に記憶されていないとき、図５（ａ）のように、表示部１１（図１）に‘サーバーの電話番号’という表示がされ、ホームサーバ４に接続される電話回線の電話番号の入力が促される。
【００３２】
このとき、ユーザーは、操作キー１２（図１）の数字キーでホームサーバ４に接続される電話回線の電話番号を入力してＳＥＴキー１９（図３）を押すことによって、その電話番号を確定する。このように確定されると、携帯型電話機１は、その電話番号をメモリ部１０に記憶させる。
【００３３】
尚、本実施形態では、上記のようにホームサーバ４に接続される電話回線の電話番号がメモリ部１０に記憶された後に録画キー１８を操作されたとき、上記のようなホームサーバ４に接続される電話回線の電話番号の入力動作は行われないものとするが、録画キー１８が操作されるたびに電話番号の入力動作を行っても構わない。又、この電話番号の設定変更についても、録画キー１８を操作したときに行うことが可能なものとしても構わないし、操作キー１２の他のキーを操作して行えるようにしても構わない。
【００３４】
このように、予め、ホームサーバ４に接続される電話回線の電話番号が入力されて、メモリ部１０に記憶された携帯型電話機１を用いて、遠隔制御を行ったときの各ブロックの動作について、以下に示す。まず、ユーザーが録画キー１８を操作すると、図５（ｂ）のように、表示部１１に番組の放送時刻の入力を促す‘放送時刻’という表示がされる。このとき、ユーザーが録画予約を希望する番組が、チャンネルが６で、午前９時頃に放送される番組であると記憶しているとき、ユーザーが図３の数字キー‘０’，‘９’，‘０’，‘０’を操作して、放送時刻を入力する。
【００３５】
このとき、図５（ｃ）のように、表示部１１に‘放送時刻０９：００’が表示される。そして、ＳＥＴキー１９をユーザーが操作することによって、放送時刻が確定される。このように確定された放送時刻は、一時的に、メモリ部１０に記憶される。
【００３６】
次に、図５（ｄ）のように、表示部１１に番組のチャンネルの入力を促す‘チャンネル’という表示がされる。このとき、ユーザーが、数字キー‘６’を操作して、チャンネルを入力する。このとき、図５（ｅ）のように、表示部１１に‘チャンネル６’が表示される。そして、ＳＥＴキー１９をユーザーが操作することによって、チャンネルが確定される。このように確定されたチャンネル及びメモリ部１０に一時的に記憶された放送時刻がデータとして、通信部１４（図２）に送出された後、変調されて、アンテナ１３（図１）より送信される。
【００３７】
尚、本実施形態では、確定した放送時刻をメモリ部１０に一時記憶して、確定したチャンネルとともに通信部１４で変調した後、アンテナ１３より電話回線などを介してＥＰＧプロバイダ３に送信しているが、ＳＥＴキー１９を操作して確定する毎に通信部１４で変調した後、アンテナ１３より電話回線などを介してＥＰＧプロバイダ３に送信しても構わない。
【００３８】
このように携帯型電話機１より送信されたチャンネル及び放送時刻のデータがＥＰＧプロバイダ３で受信される。このＥＰＧプロバイダ３では、チャンネル及び放送時刻のデータを元に、そのチャンネル付近の複数のチャンネルで且つその放送時刻付近の時間帯に放送される番組を選択したデジタル放送のＥＰＧを編集する。即ち、上記の例のように、チャンネルが６で放送時刻が午前９時というようなデータが受信された場合、例えば、午前７時から正午までの時間帯にチャンネル２，４，６，８，１０で放送される番組のＥＰＧが編集される。
【００３９】
このように編集されたＥＰＧが、携帯型電話機１に送信される。そして、各ユーザーの携帯型電話機１が、ＥＰＧプロバイダ３より送信されたこの編集済のＥＰＧを受信すると、このＥＰＧが携帯型電話機１に設けられたメモリ部１０内に記憶されるとともに、図６（ａ）のように、チャンネルが６で放送時刻が午前９時に放送される番組のチャンネル、番組内容、放送開始時刻、及び放送終了時刻が表示部１１に表示される。このように、編集済のＥＰＧが携帯型電話機１で受信されると、携帯型電話機１とＥＰＧプロバイダ３との通信が終了する。尚、図６（ａ）の例では、番組内容がプロ野球中継、放送開始時刻が９時、放送終了時刻が１１時とする。
【００４０】
次に、この表示された番組内容の番組が、ユーザーが録画予約を希望していた番組であるとき、ＳＥＴキー１９を操作する。又、この表示された番組内容の番組が、ユーザーが録画予約を希望していた番組でないとき、操作キー１２の矢印キーとなる数字キー‘２’，‘４’，‘６’，‘８’を操作して、表示部１１の表示画面をスクロールする。尚、上下の矢印キーとなる数字キー‘２’，‘８’を操作したとき、時間軸方向に、左右の矢印キーとなる数字キー‘４’，‘６’を操作したとき、チャンネル軸方向に画面が番組毎にスクロールする。
【００４１】
即ち、例えば、表示された番組内容の番組が、ユーザーが録画予約を希望していた番組でなく、数字キー‘６’を入力したとき、図６（ｂ）のように、チャンネルが８で９時に放送される番組の番組内容、放送開始時刻、放送終了時刻が、表示部１１に表示される。尚、図６（ｂ）の例では、番組内容がドラマ、放送開始時刻が８時、放送終了時刻が１０時とする。
【００４２】
更に、ユーザーが録画予約を希望していた番組が図６（ｂ）で表される番組でもなく、数字キー‘８’を入力したとき、図６（ｃ）のように、チャンネルが８で図６（ｂ）の番組の次の時間に放送される番組の番組内容、放送開始時刻、放送終了時刻が、表示部１１に表示される。尚、図６（ｃ）の例では、番組内容がバラエティ、放送開始時刻が１０時、放送終了時刻が１２時とする。
【００４３】
このように、表示部１１に表示する画面をスクロールして、録画予約を希望する番組を検索して、ユーザーがその録画予約を希望する番組を検知すると、ＳＥＴキー１９を操作する。以上のようにして、ＳＥＴキー１９が操作されると、録画予約を希望する番組のチャンネルと放送開始時刻と放送終了時刻又はＧコードといった番組情報に基づいて、ホームサーバ４が録画予約動作を行うように制御させるための制御信号を制御部１５（図２）によって生成する。
【００４４】
このように制御信号を生成すると、メモリ部１０に記憶したホームサーバ４に接続される電話回線の電話番号が制御部１５によって読み出され、この電話番号を発呼し、ホームサーバ４と通信可能な状態にする。そして、生成した制御信号を通信部１４で変調した後、アンテナ１３より、電話回線などを介して、ホームサーバ４に送信する。このように、ホームサーバ４が携帯型電話機１より制御信号を受信すると、ユーザーの希望する番組を録画予約するように予約操作を行う。このように予約操作を行うと、通信を終了する。
【００４５】
尚、このような遠隔制御方式において、デジタル放送のように多チャンネルの放送方式に適用する場合、ＥＰＧプロバイダに、予め、ユーザーの性別、職業、趣味などの個人情報を登録して、それに基づいて編集した番組表を、携帯型電話機より送信されるデータより更に編集するようにしても良い。又、ＥＰＧプロバイダで、ユーザーがよく視聴するチャンネルの統計を取って、予め番組表を編集し、この編集した番組表に基づいて、携帯型電話機より送信されるデータより更に編集するようにしても良い。
【００４６】
又、ユーザーが携帯型電話機に、予め、よく視聴するチャンネルに短縮番号などを与えてメモリ部に記憶させ、デジタル放送のようにチャンネル数の多い放送方式において、簡単にチャンネルを読み出せるようにしても良い。又、ユーザーがよく視聴する番組のチャンネルや放送時刻を、その番組に短縮番号などを与えてメモリ部に記憶させ、簡単にその番組のチャンネルや放送時刻を読み出せるようにしても良い。
【００４７】
又、本実施形態において、携帯型電話機よりユーザーが録画予約を希望する番組のチャンネルと放送時刻をＥＰＧプロバイダに送信することによって、ＥＰＧプロバイダがＥＰＧを編集するものとしたが、これに限定されるものではない。即ち、例えば、携帯型電話機より複数のチャンネルと放送時間帯をＥＰＧプロバイダに送信し、ＥＰＧプロバイダが受信したこの複数のチャンネル及び放送時間帯に放送される番組のＥＰＧを編集するようにしても構わない。
【００４８】
＜第２の実施形態＞
本発明の第２の実施形態について、図面を参照して説明する。図７は、本実施形態の遠隔制御方式の構成を示すブロック図である。本実施形態の遠隔制御方式において、第１の実施形態（図４）と同一のブロックについては、同一の記号を付してその詳細な説明は省略する。
【００４９】
図７の遠隔制御方式を用いて、ホームサーバ４にユーザーの希望する番組の録画予約を行う方式について、図面を参照して説明する。まず、ユーザーは、ＥＰＧプロバイダ３に加入する際に、予め、ホームサーバ４に接続される電話回線の電話番号を登録する。尚、本実施形態では、予め、ホームサーバ４に接続される電話回線の電話番号を登録するようにしたが、録画予約を携帯電話１を用いて行うたびに、ＥＰＧプロバイダ３にこの電話番号送信するようにしても構わないし、初回のみこの電話番号を送信してＥＰＧプロバイダ３に登録するようにしても構わない。
【００５０】
このように、予め、ＥＰＧプロバイダ３に、ホームサーバ４に接続される電話回線の電話番号を登録した遠隔制御方式における各ブロックの動作について、以下に示す。まず、第１の実施形態と同様に、まず、ユーザーが録画キー１８（図３）を操作すると、図５（ｂ）のように、表示部１１（図１）に番組の放送時刻の入力を促す‘放送時刻’という表示がされ、操作キー１２（図２）の数字キーを操作した後ＳＥＴキー１９（図３）を操作することによって、番組の放送時刻を確定する。そして、図５（ｄ）のように、表示部１１に番組のチャンネルの入力を促す‘チャンネル’という表示がされ、操作キー１２の数字キーを操作した後ＳＥＴキー１９を操作することによって、番組のチャンネルを確定する。
【００５１】
このように確定した放送時刻及びチャンネルは、ＳＥＴキー１９を操作して確定する毎に通信部１４（図２）で変調した後、アンテナ１３（図１）より電話回線などを介してＥＰＧプロバイダ３に送信しても構わない。又、ＳＥＴキー１９を操作して確定した放送時刻をメモリ部１０（図２）に一時記憶して、ＳＥＴキー１９を操作して確定したチャンネルとともに通信部１４で変調した後、アンテナ１３より電話回線などを介してＥＰＧプロバイダ３に送信しても構わない。
【００５２】
このように携帯型電話機１より送信されたチャンネル及び放送時刻のデータがＥＰＧプロバイダ３で受信される。このＥＰＧプロバイダ３では、第１の実施形態と同様、チャンネル及び放送時刻のデータを元に、そのチャンネル付近の複数のチャンネルで且つその放送時刻付近の時間帯に放送される番組を選択したデジタル放送のＥＰＧを編集する。
【００５３】
このように編集されたＥＰＧが、携帯型電話機１に送信される。そして、第１の実施形態と同様、このＥＰＧが携帯型電話機１に設けられたメモリ部１０内に記憶されるとともに、ＳＥＴキー１９で確定したチャンネル及び放送時刻の番組のチャンネル、番組内容、放送開始時刻、及び放送終了時刻が表示部１１に表示される。
【００５４】
このように、編集済のＥＰＧが携帯型電話機１で受信されると、この表示された番組内容の番組が、ユーザーが録画予約を希望していた番組であるとき、ＳＥＴキー１９を操作する。又、この表示された番組内容の番組が、ユーザーが録画予約を希望していた番組でないとき、操作キー１２の矢印キーとなる数字キー‘２’，‘４’，‘６’，‘８’を操作して、表示部１１の表示画面をスクロールして検索した後、録画予約を希望する番組を検知すると、ＳＥＴキー１９を操作する。
【００５５】
以上のようにして、ＳＥＴキー１９が操作されると、その番組のチャンネルと放送開始時刻と放送終了時刻又はＧコードといった番組情報が、メモリ部１０に一時記録されるとともに、図８のように、ユーザーが他の番組の録画予約を行うか否か判断するために、‘他の番組も予約しますか’という表示が表示部１１に表示される。このとき、‘Ｙｅｓ＝１，Ｎｏ＝３’という表示も同時に表示部１１に表示される。
【００５６】
このとき、数字キー‘１’を操作した場合（Ｙｅｓ）、再び、上記のような動作が行われる。即ち、録画予約する番組の放送時刻及びチャンネルを携帯型電話機１からＥＰＧプロバイダ３に送信した後、編集されたＥＰＧを獲得し、このＥＰＧより録画予約する番組を確定してＥＰＧプロバイダ３に送信する番組情報がメモリ部１０に記憶される。数字キー‘３’を操作した場合（Ｎｏ）、上記の動作が繰り返されず、次の動作に移行する。
【００５７】
上記のように数字キー‘３’を操作されると、メモリ部１０に記憶された全ての番組情報が制御部１５によって読み出されて通信部１４で変調された後、アンテナ１３より電話回線などを介してＥＰＧプロバイダ３に送信される。ＥＰＧプロバイダ３では、この番組情報に基づいて、ホームサーバ４に録画予約の予約操作させるための制御信号を生成する。
【００５８】
このような制御信号を生成すると、例えば、インターネット（公衆電話網）を通じるなどして、ＥＰＧプロバイダ４がホームサーバ４とが通信可能な状態となり、ＥＰＧプロバイダ４から制御信号を送信する。ホームサーバ４は、このようにユーザーの希望する番組を録画予約させるための制御信号を受信すると、ユーザーの希望する番組を録画予約するように予約操作を行う。
【００５９】
このように、本実施形態によると、ＥＰＧプロバイダよりＥＰＧが送信されたときに録画予約したい番組を選択できるようにすることで、ユーザーの通信回数を減らすことができる。又、複数の番組情報をＥＰＧプロバイダに一度に送信することができるので、ユーザーの通信回数を減らすことができる。
【００６０】
尚、このような遠隔制御方式において、デジタル放送のように多チャンネルの放送方式に適用する場合、ＥＰＧプロバイダに、予め、ユーザーの性別、職業、趣味などの個人情報を登録して、それに基づいて編集した番組表を、携帯型電話機より送信されるデータより更に編集するようにしても良い。又、ＥＰＧプロバイダで、ユーザーがよく視聴するチャンネルの統計を取って、予め番組表を編集し、この編集した番組表に基づいて、携帯型電話機より送信されるデータより更に編集するようにしても良い。
【００６１】
又、ユーザーが携帯型電話機に、予め、よく視聴するチャンネルに短縮番号などを与えてメモリ部に記憶させ、デジタル放送のようにチャンネル数の多い放送方式において、簡単にチャンネルを読み出せるようにしても良い。又、ユーザーがよく視聴する番組のチャンネルや放送時刻を、その番組に短縮番号などを与えてメモリ部に記憶させ、簡単にその番組のチャンネルや放送時刻を読み出せるようにしても良い。又、ホームサーバとＥＰＧプロバイダとの間の通信をインターネットのような有線回線を用いた通信としたが、無線回線を用いた通信でも構わない。
【００６２】
又、本実施形態において、携帯型電話機よりユーザーが録画予約を希望する番組のチャンネルと放送時刻をＥＰＧプロバイダに送信することによって、ＥＰＧプロバイダがＥＰＧを編集するものとしたが、これに限定されるものではない。即ち、例えば、携帯型電話機より複数のチャンネルと放送時間帯をＥＰＧプロバイダに送信し、ＥＰＧプロバイダが受信したこの複数のチャンネル及び放送時間帯に放送される番組のＥＰＧを編集するようにしても構わない。
【００６３】
＜第３の実施形態＞
本発明の第３の実施形態について、図面を参照して説明する。図９は、本実施形態の遠隔制御方式の構成を示すブロック図である。本実施形態の遠隔制御方式において、第１の実施形態（図４）と同一のブロックについては、同一の記号を付してその詳細な説明は省略する。
【００６４】
図９の遠隔制御方式を用いて、ホームサーバ４にユーザーの希望する番組の録画予約を行う方式について、図面を参照して説明する。まず、第１の実施形態と同様に、まず、ユーザーが録画キー１８（図３）を操作すると、図５（ｂ）のように、表示部１１（図１）に番組の放送時刻の入力を促す‘放送時刻’という表示がされ、操作キー１２（図２）の数字キーを操作した後ＳＥＴキー１９（図３）を操作することによって、番組の放送時刻を確定する。そして、図５（ｄ）のように、表示部１１に番組のチャンネルの入力を促す‘チャンネル’という表示がされ、操作キー１２の数字キーを操作した後ＳＥＴキー１９を操作することによって、番組のチャンネルを確定する。
【００６５】
このように確定した放送時刻及びチャンネルは、ＳＥＴキー１９を操作して確定する毎に通信部１４（図２）で変調した後、アンテナ１３（図１）より電話回線などを介してＥＰＧプロバイダ３に送信しても構わない。又、ＳＥＴキー１９を操作して確定した放送時刻をメモリ部１０に一時記憶して、ＳＥＴキー１９を操作して確定したチャンネルとともに通信部１４で変調した後、アンテナ１３より電話回線などを介してＥＰＧプロバイダ３に送信しても構わない。
【００６６】
このように携帯型電話機１より送信されたチャンネル及び放送時刻のデータがＥＰＧプロバイダ３で受信される。このＥＰＧプロバイダ３では、第１の実施形態と同様、チャンネル及び放送時刻のデータを元に、そのチャンネル付近の複数のチャンネルで且つその放送時刻付近の時間帯に放送される番組を選択したデジタル放送のＥＰＧを編集する。
【００６７】
このように編集されたＥＰＧが、携帯型電話機１に送信される。そして、第１の実施形態と同様、このＥＰＧが携帯型電話機１に設けられたメモリ部１０内に記憶されるとともに、ＳＥＴキー１９で確定したチャンネル及び放送時刻の番組のチャンネル、番組内容、放送開始時刻、及び放送終了時刻が表示部１１に表示される。このように、編集済のＥＰＧが携帯型電話機１で受信されると、携帯型電話機１とＥＰＧプロバイダ３との通信が終了する。
【００６８】
そして、この表示された番組内容の番組が、ユーザーが録画予約を希望していた番組であるとき、ＳＥＴキー１９を操作する。又、この表示された番組内容の番組が、ユーザーが録画予約を希望していた番組でないとき、操作キー１２の矢印キーとなる数字キー‘２’，‘４’，‘６’，‘８’を操作して、表示部１１の表示画面をスクロールして検索した後、録画予約を希望する番組を検知すると、ＳＥＴキー１９を操作する。
【００６９】
以上のようにして、ＳＥＴキー１９が操作されると、その番組のチャンネルと放送開始時刻と放送終了時刻又はＧコードといった番組情報が、メモリ部１０に一時記録される。そして、予めメモリ部１０に記憶している放送局２の電話番号を読み出して、この電話番号を発呼し、放送局２と通信可能な状態にする。尚、この放送局２の電話番号は、編集済のＥＰＧをＥＰＧプロバイダ３から送信されるときに獲得して、メモリ部１０に記憶するようにしても良いし、ユーザーによって入力されてメモリ部１０に記憶するようにしても良い。
【００７０】
このように、放送局２と通信可能な状態になると、メモリ部１０に記憶した番組情報を制御部１５によって読み出して、通信部１４で変調した後、アンテナ１３より送信する。このとき、携帯型電話機１よりユーザーＩＤを送信するなどして、放送局２にユーザーが誰かを認識させるようにする。
【００７１】
次に、放送局２は、この番組情報に基づいて、ホームサーバ４に録画予約の予約操作させるための制御信号を生成する。このとき、この制御信号には、個々のホームサーバ４を確定するためにユーザー個々に割り当てたＩＤ信号が付加される。このような制御信号を生成すると、ケーブルなどの有線回線又は衛星回線や地上波回線などの無線回線といった放送経路を介して、放送局２から放送信号とともに制御信号が送信される。
【００７２】
ホームサーバ４は、放送信号とともに制御信号を受信すると、制御信号に付加されたＩＤ信号より携帯型電話機１のユーザーによる録画予約であると認識し、ユーザーの希望する番組を録画予約するように予約操作を行う。
【００７３】
尚、このような遠隔制御方式において、デジタル放送のように多チャンネルの放送方式に適用する場合、ＥＰＧプロバイダに、予め、ユーザーの性別、職業、趣味などの個人情報を登録して、それに基づいて編集した番組表を、携帯型電話機より送信されるデータより更に編集するようにしても良い。又、ＥＰＧプロバイダで、ユーザーがよく視聴するチャンネルの統計を取って、予め番組表を編集し、この編集した番組表に基づいて、携帯型電話機より送信されるデータより更に編集するようにしても良い。
【００７４】
又、ユーザーが携帯型電話機に、予め、よく視聴するチャンネルに短縮番号などを与えてメモリ部に記憶させ、デジタル放送のようにチャンネル数の多い放送方式において、簡単にチャンネルを読み出せるようにしても良い。又、ユーザーがよく視聴する番組のチャンネルや放送時刻を、その番組に短縮番号などを与えてメモリ部に記憶させ、簡単にその番組のチャンネルや放送時刻を読み出せるようにしても良い。
【００７５】
又、本実施形態において、携帯型電話機よりユーザーが録画予約を希望する番組のチャンネルと放送時刻をＥＰＧプロバイダに送信することによって、ＥＰＧプロバイダがＥＰＧを編集するものとしたが、これに限定されるものではない。即ち、例えば、携帯型電話機より複数のチャンネルと放送時間帯をＥＰＧプロバイダに送信し、ＥＰＧプロバイダが受信したこの複数のチャンネル及び放送時間帯に放送される番組のＥＰＧを編集するようにしても構わない。
【００７６】
＜第４の実施形態＞
本発明の第４の実施形態について、図面を参照して説明する。図１０は、本実施形態の遠隔制御方式の構成を示すブロック図である。本実施形態の遠隔制御方式において、第２の実施形態（図７）と同一のブロックについては、同一の記号を付してその詳細な説明は省略する。
【００７７】
図１０の遠隔制御方式を用いて、ホームサーバ４にユーザーの希望する番組の録画予約を行う方式について、図面を参照して説明する。まず、第２の実施形態（図７）と同様に、まず、ユーザーが録画キー１８（図３）を操作すると、図５（ｂ）のように、表示部１１（図１）に番組の放送時刻の入力を促す‘放送時刻’という表示がされ、操作キー１２（図２）の数字キーを操作した後ＳＥＴキー１９（図３）を操作することによって、番組の放送時刻を確定する。そして、図５（ｄ）のように、表示部１１に番組のチャンネルの入力を促す‘チャンネル’という表示がされ、操作キー１２の数字キーを操作した後ＳＥＴキー１９を操作することによって、番組のチャンネルを確定する。
【００７８】
このように確定した放送時刻及びチャンネルは、ＳＥＴキー１９を操作して確定する毎に通信部１４（図２）で変調した後、アンテナ１３（図１）より電話回線などを介してＥＰＧプロバイダ３に送信しても構わない。又、ＳＥＴキー１９を操作して確定した放送時刻をメモリ部１０に一時記憶して、ＳＥＴキー１９を操作して確定したチャンネルとともに通信部１４で変調した後、アンテナ１３より電話回線などを介してＥＰＧプロバイダ３に送信しても構わない。
【００７９】
このように携帯型電話機１より送信されたチャンネル及び放送時刻のデータがＥＰＧプロバイダ３で受信される。このＥＰＧプロバイダ３では、第２の実施形態と同様、チャンネル及び放送時刻のデータを元に、そのチャンネル付近の複数のチャンネルで且つその放送時刻付近の時間帯に放送される番組を選択したデジタル放送のＥＰＧを編集する。
【００８０】
このように編集されたＥＰＧが、携帯型電話機１に送信される。そして、第２の実施形態と同様、このＥＰＧが携帯型電話機１に設けられたメモリ部１０内に記憶されるとともに、ＳＥＴキー１９で確定したチャンネル及び放送時刻の番組のチャンネル、番組内容、放送開始時刻、及び放送終了時刻が表示部１１に表示される。
【００８１】
このように、編集済のＥＰＧが携帯型電話機１で受信されると、この表示された番組内容の番組が、ユーザーが録画予約を希望していた番組であるとき、ＳＥＴキー１９を操作する。又、この表示された番組内容の番組が、ユーザーが録画予約を希望していた番組でないとき、操作キー１２の矢印キーとなる数字キー‘２’，‘４’，‘６’，‘８’を操作して、表示部１１の表示画面をスクロールして検索した後、録画予約を希望する番組を検知すると、ＳＥＴキー１９を操作する。
【００８２】
以上のようにして、ＳＥＴキー１９が操作されると、その番組のチャンネルと放送開始時刻と放送終了時刻又はＧコードといった番組情報が、メモリ部１０に一時記録されるとともに、図８のように、ユーザーが他の番組の録画予約を行うか否か判断するために、‘他の番組も予約しますか’という表示が表示部１１に表示される。このとき、‘Ｙｅｓ＝１，Ｎｏ＝３’という表示も同時に表示部１１に表示される。
【００８３】
このとき、数字キー‘１’を操作した場合（Ｙｅｓ）、再び、上記のような動作が行われる。即ち、録画予約する番組の放送時刻及びチャンネルを携帯型電話機１からＥＰＧプロバイダ３に送信した後、編集されたＥＰＧを獲得し、このＥＰＧより録画予約する番組を確定してＥＰＧプロバイダ３に送信する番組情報がメモリ部１０に記憶される。数字キー‘３’を操作した場合（Ｎｏ）、上記の動作が繰り返されず、次の動作に移行する。
【００８４】
上記のように数字キー‘３’を操作されると、メモリ部１０に記憶された全ての番組情報が制御部１５によって読み出されて通信部１４で変調された後、アンテナ１３より電話回線などを介してＥＰＧプロバイダ３に送信される。ＥＰＧプロバイダ３では、この番組情報に基づいて、ホームサーバ４に録画予約の予約操作させるための制御信号を生成する。このとき、各ホームサーバ４を確定するためにユーザー個々に割り当てたＩＤ信号を付加する。
【００８５】
このような制御信号を生成すると、例えば、インターネット（公衆電話網）を通じるなどして、ＥＰＧプロバイダ４が放送局２とが通信可能な状態となり、ＥＰＧプロバイダ４から制御信号を送信する。放送局２は、このようにユーザーの希望する番組を録画予約させるための制御信号を受信すると、第３の実施形態（図９）と同様に、ケーブルなどの有線回線又は衛星回線や地上波回線などの無線回線といった放送経路を介して、放送局２から放送信号とともに制御信号が送信される。
【００８６】
ホームサーバ４は、放送信号とともに制御信号を受信すると、制御信号に付加されたＩＤ信号より携帯型電話機１のユーザーによる録画予約であると認識し、ユーザーの希望する番組を録画予約するように予約操作を行う。
【００８７】
このように、本実施形態によると、ＥＰＧプロバイダよりＥＰＧが送信されたときに録画予約したい番組を選択できるようにすることで、ユーザーの通信回数を減らすことができる。又、複数の番組情報をＥＰＧプロバイダに一度に送信することができるので、ユーザーの通信回数を減らすことができる。
【００８８】
尚、このような遠隔制御方式において、デジタル放送のように多チャンネルの放送方式に適用する場合、ＥＰＧプロバイダに、予め、ユーザーの性別、職業、趣味などの個人情報を登録して、それに基づいて編集した番組表を、携帯型電話機より送信されるデータより更に編集するようにしても良い。又、ＥＰＧプロバイダで、ユーザーがよく視聴するチャンネルの統計を取って、予め番組表を編集し、この編集した番組表に基づいて、携帯型電話機より送信されるデータより更に編集するようにしても良い。
【００８９】
又、ユーザーが携帯型電話機に、予め、よく視聴するチャンネルに短縮番号などを与えてメモリ部に記憶させ、デジタル放送のようにチャンネル数の多い放送方式において、簡単にチャンネルを読み出せるようにしても良い。又、ユーザーがよく視聴する番組のチャンネルや放送時刻を、その番組に短縮番号などを与えてメモリ部に記憶させ、簡単にその番組のチャンネルや放送時刻を読み出せるようにしても良い。又、放送局とＥＰＧプロバイダとの間の通信をインターネットのような有線回線を用いた通信としたが、無線回線を用いた通信でも構わない。
【００９０】
又、本実施形態において、携帯型電話機よりユーザーが録画予約を希望する番組のチャンネルと放送時刻をＥＰＧプロバイダに送信することによって、ＥＰＧプロバイダがＥＰＧを編集するものとしたが、これに限定されるものではない。即ち、例えば、携帯型電話機より複数のチャンネルと放送時間帯をＥＰＧプロバイダに送信し、ＥＰＧプロバイダが受信したこの複数のチャンネル及び放送時間帯に放送される番組のＥＰＧを編集するようにしても構わない。
【００９１】
尚、第１〜第４の実施形態において、本発明の実施形態について、携帯型電話機を例にして説明したが、このように無線回線で使用される端末装置に限定するものでなく、有線回線で使用される端末装置であっても構わない。又、端末装置が、携帯端末でも構わない。
【００９２】
更に、第１〜第４の実施形態において、本発明の実施形態について、デジタル放送を受信するホームサーバを例に説明したが、このようなホームサーバに限定されるものでなく、アナログ放送を受信する他の放送受信装置でも構わない。
【００９３】
【発明の効果】
本発明の遠隔制御方式によると、端末装置で選択することのできる番組の番組表が、データ管理局で、前記端末装置から送信されるチャンネル及び放送時刻に基づいて編集されるため、端末装置で受信する番組表のデータ量を小さくすることができる。よって、ユーザーが多チャンネルの番組表などの膨大な数の番組を有する番組表から録画予約を希望する番組を抽出する必要がなく、操作の煩雑さを抑制することができる。
【００９４】
又、端末装置とデータ管理局との間で通信を行って、録画予約を行う番組を選択した後、データ管理局がこの選択された録画予約を行う番組の番組情報に基づいて制御信号を生成して放送受信装置に送信することによって、放送受信装置の遠隔制御を行うことができる。よって、端末装置がデータ管理局から番組表を受信したときに同時に、放送受信装置を制御するための制御形態を選択することができるため、ユーザーが複数回通信を行う必要がなくなる。
【図面の簡単な説明】
【図１】本発明の遠隔制御方式で使用する端末装置の１例を示す外観斜視図。
【図２】図１の端末装置の内部構造を示すブロック図。
【図３】図１の端末装置のキー操作部の配置を示す図。
【図４】第１の実施形態の遠隔制御方式を示すブロック図。
【図５】図１に示す端末装置の表示部の表示例。
【図６】図１に示す端末装置の表示部の表示例。
【図７】第２の実施形態の遠隔制御方式を示すブロック図。
【図８】図１に示す端末装置の表示部の表示例。
【図９】第３の実施形態の遠隔制御方式を示すブロック図。
【図１０】第４の実施形態の遠隔制御方式を示すブロック図。
【符号の説明】
１    携帯型放送受信装置
２    放送局
３    ＥＰＧプロバイダ
４    ホームサーバ
１０    メモリ部
１１    表示部
１２    操作キー
１３    アンテナ
１４    通信部
１５    制御部
１６    マイク
１７    スピーカ
１８    録画キー
１９    ＳＥＴキー
【図１】
0003710966.tif 000002
【図２】
0003710966.tif 000003
【図３】
0003710966.tif 000004
【図４】
0003710966.tif 000005
【図５】
0003710966.tif 000006
【図６】
0003710966.tif 000007
【図７】
0003710966.tif 000008
【図８】
0003710966.tif 000009
【図９】
0003710966.tif 000010
【図１０】
0003710966.tif 000011